(57)【要約】【課題】携行中に使用者の意図に反して作動する、携帯機器をなくしたり盗難にあったりした場合にデータが漏洩する、といった問題を、加速度センサを使用することにより、低コストで簡単に解決し、ユーザーインターフェイスの向上も図ることができる携帯機器を得る。【解決手段】重力方向を基準とした傾きを検出する傾き検出手段１１１を有し、操作者が携帯機器を休止状態から動作状態にする操作をしたときに、傾き検出手段１１１によって検出される傾きが所定の範囲にないときは起動を許可しないか、起動禁止状態に設定する。操作者が携帯機器を休止状態から動作状態にする操作をしたときに、検出手段１１１によって検出される傾きに応じて、所定の傾き範囲毎に設定されている起動モードを実行するようにしてもよい。傾きに応じて音声入力のレベル、サンプリング周波数、フィルタなどを変更するようにしてもよい。【選択図】図４
2009260896.tif 000002
【特許請求の範囲】
【請求項１】
重力方向を基準とした傾きを検出する傾き検出手段を有し、
操作者が携帯機器を休止状態から動作状態にする操作をしたときに、前記傾き検出手段によって検出される傾きが所定の範囲にないときは起動を許可しないことを特徴とする携帯機器。
【請求項２】
重力方向を基準とした傾きを検出する傾き検出手段を有し、
操作者が携帯機器を休止状態から動作状態にする操作をしたときに、前記傾き検出手段によって検出される傾きが所定の傾き範囲にないときは起動禁止状態に設定することを特徴とする携帯機器。
【請求項３】
重力方向を基準とした傾きを検出する傾き検出手段を有する携帯機器であって、
複数の起動モードを有し、
操作者が携帯機器を休止状態から動作状態にする操作をしたときに、前記検出手段によって検出される傾きに応じて、所定の傾き範囲毎に設定されている起動モードを実行することを特徴とする携帯機器。
【請求項４】
操作者が携帯機器を操作するときの操作開始からの経過時間を計測する計測手段をさらに有し、
操作者が携帯機器を休止状態から動作状態にする操作をしたときに、所定の傾き範囲に入っている時間を前記計測手段による経過時間計測で判断し、所定の経過時間を超えたときに所定の傾き範囲毎に設定されている起動モードを実行することを特徴とする請求項１記載の携帯機器。
【請求項５】
前記所定の傾き範囲の、範囲幅とこの範囲幅に対応する起動モードを設定する手段をさらに有することを特徴とする請求項１または２に記載の携帯機器。
【請求項６】
撮像レンズを備え、重力方向をＹ軸、前記撮像レンズの撮影光軸方向をＺ軸とし、携帯機器が傾きのない姿勢に保持されている状態で上記Ｙ軸およびＺ軸にともに直交する軸をＸ軸と定義したとき、Ｚ軸を中心とする回転によるＸ軸からの傾き角度により前記傾き範囲を定義して、前記正姿勢のときにＸ軸と平行な面で、かつ操作者が操作するときに視認可能な外装部に、傾き範囲の角度幅とこの角度幅毎に対応した前記起動モードを表示する表示手段が設けられていることを特徴とする請求項４記載の携帯機器。
【請求項７】
前記傾き範囲の定義において、Ｚ軸を中心とする回転によるＸ軸からの傾き角度を正方向と負方向の回転について定義することを特徴とする請求項６記載の携帯機器。
【請求項８】
重力方向を基準とした傾きを検出する検出手段を設け、操作者が撮像装置を休止状態から動作状態にする操作をしたときに、上記検出手段により検出される傾き角度が所定の範囲内にないときは、カメラの起動を許可しないようにした請求項６記載の携帯機器。
【請求項９】
重力方向を基準とした傾きを検出する検出手段を設け、操作者がカメラを休止状態から動作状態にする操作をしたときに、上記検出手段により検出される傾き角度が所定の範囲内にないときは、カメラの起動禁止状態に設定するようにした請求項６記載の携帯機器。
【請求項１０】
重力方向を基準とした傾きを検出する傾き検出手段と、音声の記録手段と、音声入力レベル変更手段を有し、
前記音声入力レベル変更手段は、前記傾き検出手段によって検出される傾きに応じて音声入力レベルを変更することを特徴とする携帯機器。
【請求項１１】
重力方向を基準とした傾きを検出する傾き検出手段と、音声の記録手段と、音声記録時のサンプリング周波数変更手段を有し、
前記サンプリング周波数変更手段は、前記傾き検出手段によって検出される傾きに応じて音声記録時のサンプリング周波数を変更することを特徴とする携帯機器。
【請求項１２】
重力方向を基準とした傾きを検出する傾き検出手段と、音声の記録手段と、音声入力にフィルタをかけるフィルタリング手段を有し、
前記フィルタリング手段は、前記傾き検出手段によって検出される傾きに応じてフィルタを変更することを特徴とする携帯機器。
【請求項１３】
重力方向を基準とした傾きを検出する傾き検出手段と、音声の記録手段と、音声入力レベル変更手段と、音声入力にフィルタをかけるフィルタリング手段と、音声記録時のサンプリング周波数変更手段と、記録されている音声データの音声帯域分析手段を有し、
前記音声入力レベル変更手段、前記フィルタリング手段、サンプリング周波数変更手段は、前記傾き検出手段によって検出される傾きと前記音声帯域分析手段による分析結果に応じて、それぞれ音声入力レベル、フィルタ、サンプリング周波数を変更することを特徴とする携帯機器。
【発明の詳細な説明】
【技術分野】
【０００１】
本発明は、例えば、携帯電話やカメラなどの携帯機器に関するもので、特に、その傾きによって各種制御を行うことに特徴を有するものである。
【背景技術】
【０００２】
従来、携帯機器の一種であるカメラについて考えると、カメラを起動するときは、モードダイヤル等で操作されるスイッチの切り替えによりモードを決定し、電源スイッチがオンすることをトリガーとして起動し、決定されたモードに設定する方式になっている。しかし、カメラのような携帯機器は小型で持ち運ばれることが多く、かばんの中などに入れておくと、振動等により電源スイッチが押される場合があった。この場合、撮影モードに設定されていると、レンズ鏡胴などの作動部分が作動するという問題がある。特に沈胴式カメラの場合は、電源スイッチが入ることによってレンズ鏡胴がカメラ本体から繰り出そうとし、かばんの内面やかばん内の収容物にレンズ鏡胴が当たってレンズ鏡胴の繰り出しが制限され、駆動モータおよび駆動回路に過負荷がかかって故障の原因となる。また、電池が無駄に消耗してしまうことにもなる。
【０００３】
さらに、カメラや携帯電話などは、持ち運びやすいように小型化されているため、無くすことや盗難にあうことも多く、メモリに記録されている機密データやプライベートのデータが漏洩することがある、といった問題もある。
【０００４】
加えて、カメラなどの携帯機器には画像とともに音声を記録することができるものがある。以下、画像とともに音声を記録することを「音声録画」という。音声録画モードを備えているカメラなどの携帯機器は、一般に音声ゲイン調整機能を備えていて、音声録画モードに設定して起動すると、必要に応じて音声入力レベルを自動的に大きくするというような動作をする。しかし、音声入力レベルや、音声をデジタル化して記録するためのサンプリング周波数をユーザーが任意に変更しようとすると、操作画面を見ながら設定する必要があるため、会議中などにおいてこれらの設定を頻繁に変更することは、操作が煩雑で不可能に近い。また、カメラなどの携帯機器においては、その姿勢、傾きなどによってマイクロホンの向き、傾きなどが変わり、それに応じた最適な音声入力レベル、最適な帯域フィルタなどがあるはずであるが、従来の携帯機器においては、最適な音声入力レベル、帯域フィルタに関してなんら考慮されていない。
【０００５】
本発明に関連のある先行技術として特許文献１記載の発明がある。特許文献１記載の発明は、電子機器において、一のアプリケーションを利用した後に続けて別のアプリケーションを利用しようとする場合に、従来必要であったキー操作を省略して、利用者の利便性を向上させることを目的としている。その技術的な特徴は、電子機器の姿勢を検知する姿勢検知手段とアプリケーションプログラム検知手段を有し、アプリケーションプログラム検知手段は、第１アプリケーションプログラムの実行中に姿勢検知手段による姿勢検知によって得た検知データ、またはこれを演算したデータが所定範囲内であるか否かの判断を行うとともに、所定範囲内であると判断したときには第２アプリケーションプログラムを実行するアプリケーション切り替え処理を行なう点にある。なお、起動時のシーケンスに関しては、記載されていない。
【０００６】
音声入力装置を備えた携帯機器に関しては、撮影レンズを有する撮像部を装置本体部に回転自在に設けたデジタルカメラにおいて、装置本体部の正面にステレオマイクロホンを、撮像部の撮影レンズ設置面側にモノラルマイクロホンを備え、撮像部の回転位置に応じてステレオマイクロホンとモノラルマイクロホンの音声入力を制御して、撮影部の向いている方向の収音特性を良好にするという技術が提案されている（特許文献２参照）。また、音声を検出する検出手段と、撮影手段による撮影が指示されたとき上記検出手段の検出結果から、音声の音量レベルが所定のレベルを越えかつこのレベルを越えた持続時間を計測する計測手段と、この計測結果に基づいて音声を録音する録音手段を備え、撮影前に予め設定することなく、音声録音を容易に行うことができるデジタルカメラが提案されている（特許文献３参照）。
【０００７】
上に示した何れの特許文献にも、既に説明したような従来の携帯機器に見られる問題点を解消することができる技術は開示されていない。
【０００８】
【特許文献１】特開２００６−０７２４６６号公報
【特許文献２】特開２００５−２８６７１８号公報
【特許文献３】特開２００４−２３１６０号公報
【発明の開示】
【発明が解決しようとする課題】
【０００９】
本発明は、携帯機器における前述の問題、すなわち、携行中に使用者の意図に反して作動する、あるいは、携帯機器をなくしたり盗難にあったりした場合にデータが漏洩する、といった問題を、本来、水平機能、手振れ補正機能など別の機能として使用している加速度センサを使用することにより、セキリティーの向上と安全性の確保、そしてユーザーインターフェイスの向上を、低コストで簡単に解決することができる携帯機器を提供することを目的としている。
【００１０】
本発明はまた、音声の記録手段を備えた携帯機器において、その姿勢や傾きなどに応じて入力レベルやサンプリング周波数などを自動的に変更して、常に良好な音質で音声を記録することができる携帯機器を提供することを目的としている。
【課題を解決するための手段】
【００１１】
本発明は、重力方向を基準とした傾きを検出する傾き検出手段を有し、操作者が携帯機器を休止状態から動作状態にする操作をしたときに、前記傾き検出手段によって検出される傾きが所定の範囲にないときは起動を許可しないことを最も主要な特徴とする。
【００１２】
傾き検出手段によって検出される傾きが所定の傾き範囲にないときは起動禁止状態に設定するようにしてもよい。
操作者が携帯機器を休止状態から動作状態にする操作をしたときに、前記検出手段によって検出される傾きに応じて、所定の傾き範囲毎に設定されている起動モードを実行するようにしてもよい。
【００１３】
操作者が携帯機器を操作するときの操作開始からの経過時間を計測する計測手段をさらに有し、操作者が携帯機器を休止状態から動作状態にする操作をしたときに、所定の傾き範囲に入っている時間を前記計測手段による経過時間計測で判断し、所定の経過時間を超えたときに所定の傾き範囲毎に設定されている起動モードを実行するようにしてもよい。
【００１４】
音声の記録手段を備えている携帯機器において、傾き検出手段によって検出される傾きに応じて、音声入力レベルを変更する、あるいは、音声記録時のサンプリング周波数を変更する、あるいは、フィルタを変更する、といった手段を備えることもできる。
【発明の効果】
【００１５】
携帯機器の傾きによって起動することを制御することにより、安全性を向上することができる。
携帯機器の傾きによって起動をロックすることにより、セキュリティを向上させることができる。
カメラの傾きによって起動モードを変えることにより、ユーザーの利便性を向上させることができる。
カメラの傾きとその時間によって起動することを制御することにより、安全性を向上することができる。
【００１６】
音声の記録手段を備えている携帯機器において、傾き検出手段によって検出される傾きに応じて、音声入力レベルを変更する、あるいは、音声記録時のサンプリング周波数を変更する、あるいは、フィルタを変更する、といった手段を備えることにより、ユーザーは、設定操作をすることなく自動的に、携帯機器の傾きないしは姿勢に応じた最適な設定条件の下で良好な音質で音声を記録することができる。
【発明を実施するための最良の形態】
【００１７】
以下、図を参照して本発明にかかる携帯機器および携帯機器の一種である撮像装置の実施例としてのカメラの例につき説明する。なお、各図において、同じ部材や同じ処理に関しては、極力、同じ符号を付けている。
まず、カメラに装着されている各機能部品について説明する。図１乃至図３において、カメラ本体の正面中央付近にはレンズ鏡胴ユニット４が組み込まれ、カメラ本体の正面上部にはストロボ発光部１、測距ユニット２、光学ファインダ３が組み込まれている。カメラ本体の上面には、レリーズスイッチＳＷ１、第１ジョグダイヤルＳＷ３、モードダイヤルＳＷ２が組み込まれている。
【００１８】
カメラ本体の背面側には、ＬＣＤモニタ５、第２ジョグダイヤルＳＷ４、ズームスイッチ［ＴＥＬＥ］ＳＷ５、ズームスイッチ［ＷＩＤＥ］ＳＷ６、上方向指示スイッチＳＷ７、右方向指示スイッチＳＷ８、ＯＫスイッチＳＷ９、左指示スイッチＳＷ１０、マクロスイッチを兼ねた下指示スイッチＳＷ１１、ディスプレイスイッチＳＷ１２、削除スイッチＳＷ１３、メニュースイッチＳＷ１４、電源スイッチＳＷ１５がそれぞれ組み込まれている。また、光学ファインダ３の接眼部がカメラ本体の背面側に配置されている。本明細書では、上記各種スイッチＳＷ１〜ＳＷ１５を一括して「操作キーユニット」という場合がある。
【００１９】
次に、上記カメラ内部の制御系統の構成例を、図４を参照しながら説明する。図４に示す制御系統の構成からわかるように、この実施例にかかるカメラはデジタルスチルカメラである。図４において、ＣＣＤ１０１は、光学画像を光電変換するための固体撮像素子である。Ｆ／Ｅ（フロントエンド）−ＩＣ１０２は、画像ノイズ除去用相関二重サンプリングを行うＣＤＳ１０２−１、利得調整を行うＡＧＣ１０２−２、アナログ信号をデジタル信号に変換するＡ／Ｄ変換器１０２−３、および、後述のデジタルスチルカメラプロセッサ１０４に含まれるＣＣＤ１制御ブロック１０４−１から垂直同期信号、水平同期信号が供給され、ＣＰＵブロック１０４−３によって制御されて、上記ＣＣＤ１０１とＦ／Ｅ−ＩＣ１０２の駆動タイミング信号を発生するＴＧ（タイミングジェネレータ）１０２−４を有している。
【００２０】
図４に示す鏡胴ユニット４は、図１乃至図３とともに説明したように、カメラ本体の前面に組み込まれている。図４において、鏡胴ユニット４は、被写体の光学画像を取り込むズームレンズ４−１ａ、ズーム駆動モータ４−１ｂからなるズーム光学系４−１と、フォーカスレンズ４−２ａ、フォーカス駆動モータ４−２ｂからなるフォーカス光学系４−２と、絞り４−３ａ、絞り駆動モータ４−３ｂからなる絞りユニット４−３と、メカシャッタ４−４ａ、メカシャッタ駆動モータ４−４ｂからなるメカシャッタユニット４−４と、上記各モータを駆動するモータドライバ４−５を有する。
【００２１】
デジタルスチルカメラプロセッサ１０４は、ＣＣＤ１０１から入力されＦ／Ｅ―ＩＣ１０２から出力されるデータにホワイトバランス設定やガンマ設定を行う。また、前述したように、垂直同期信号、水平同期信号を供給するＣＣＤ１制御ブロック１０４−１、フィルタリング処理により、輝度データ・色差データへの変換を行うＣＣＤ２制御ブロック１０４−２、前述した装置各部の動作を制御するＣＰＵブロック１０４−３、前述した制御に必要なデータ等を一時的に保存するローカルＳＲＡＭ１０４−４、パソコンなどの外部機器とＵＳＢ通信を行うＵＳＢブロック１０４−５、パソコンなどの外部機器とシリアル通信を行うシリアルブロック１０４−６、ＪＰＥＧ圧縮・伸張を行うＪＰＥＧ  ＣＯＤＥＣブロック１０４−７、画像データのサイズを補間処理により拡大／縮小するリサイズブロック１０４−８、画像データを液晶モニタやＴＶなどの外部表示機器に表示するためのビデオ信号に変換するＴＶ信号表示ブロック１０４−９、撮影された画像データを記録するメモリカードの制御を行うメモリカードブロック１０４−１０を有する。
【００２２】
図４において、ＳＤＲＡＭ１０３は、前述したデジタルスチルカメラプロセッサ１０４で画像データに各種処理を施す際に、画像データを一時的に保存するものである。保存される画像データは、例えば、ＣＣＤ１０１から、Ｆ／Ｅ−ＩＣ１０２を経由して取り込まれ、ＣＣＤ１信号処理ブロック１０４−１でホワイトバランス設定、ガンマ設定が行われた状態の「ＲＡＷ−ＲＧＢ画像データ」やＣＣＤ２制御ブロック１０４−２で輝度データ・色差データ変換が行われた状態の「ＹＵＶ画像データ」、ＪＰＥＧ  ＣＯＤＥＣブロック（１０４−７）でＪＰＥＧ圧縮された「ＪＰＥＧ画像データ」などである。
【００２３】
内蔵メモリ１０７は、撮影して得られた画像データを記憶できるようにするためのメモリである。
ＬＣＤドライバ１０８は、ＬＣＤモニタ５を駆動するドライブ回路であり、ＴＶ信号表示ブロック１０４−９から出力されたビデオ信号を、ＬＣＤモニタ５に表示するための信号に変換する機能も有している。ＬＣＤモニタ５は、撮影前に被写体の状態を監視する、撮影した画像を確認する、メモリカードや前述した内臓メモリ１０７に記録した画像データを表示する、など、各種監視や表示を行うためのモニタである。ビデオＡＭＰ１１８は、ＴＶ信号表示ブロック１０４−９から出力されたビデオ信号を、７５Ωインピーダンス変換するためのアンプである。ビデオジャック１１９は、ＴＶなどの外部表示機器と接続するためのジャックである。操作Ｋｅｙ（キー）ユニット（ＳＷ１〜１５）は、ユーザーが操作するキー回路であり、図１乃至図３に示す各スイッチＳＷ１〜１５がこれに該当する。ＳＵＢ−ＣＰＵ１０５は、ＲＯＭおよびＲＡＭをワンチップに内蔵した中央演算処理ユニット（ＣＰＵ）であり、操作キーユニット（ＳＷ１〜１５）などの出力信号をユーザーの操作情報として、前述したＣＰＵブロック１０４−３に出力する。
【００２４】
加速度センサ１１１はプリント回路基板（ＰＣＢ）上に実装され、直交する２軸Ｘ，Ｙ方向の加速度データを出力する。そのデータからカメラの傾きを演算し、デジタルスチルカメラプロセッサ１０４に伝達し各種制御に使用する。
加速度センサの水平に対するロール角θは以下の式で表される。
θ［ｄｅｇ］＝１８０／π＊ａｒｃｔａｎ（（Ｙ０−Ｇ０）／（Ｘ０−Ｇ０））
Ｇ０は重力ゼロ時の出力である。
【００２５】
以上のようなハードウェア構成において、以下のように動作するようにソフトウェアが構成されていることを本願発明の特徴としている。以下、各種実施例について説明する。
【実施例１】
【００２６】
図５は、実施例１の動作を示している。以下、各動作ステップには「Ｓ１１」「Ｓ１２」・・・のように符号を付す。図５において、操作キーユニットＳＷ１〜１５の電源スイッチが押されて（Ｓ１１）電源が供給されると、加速度センサ１１１から２軸Ｘ，Ｙ方向のデータを取得するとともに、適宜の温度センサから温度Ｔのデータを取得する（Ｓ１２）。これらのデータから、デジタルスチルカメラプロセッサ１０４でカメラの傾きを割り出す。記憶媒体１０７には所定の傾き値以下の傾き値が予め決められて記録されているので、記録媒体からデータを取得し（Ｓ１３）、この取得したデータと上記割り出した傾き値のデータとを比較する（Ｓ１４）。比較の結果、値が一致した場合、すなわち所定の傾き値以上の傾きであると判断された場合は、起動シーケンスに移行しカメラを起動する（Ｓ１５）。上記比較が一致しない場合は、上記起動シーケンスに移行することなく、カメラの動作を停止する（Ｓ１６）。例えば、傾きが２０度前後の所定の範囲内にあるとき電源ＳＷを押すと起動するカメラとすることができる。
【００２７】
上記実施例によれば、使用者がカメラを意図的に所定の角度に傾けて電源スイッチを押さなければ起動することができないから、使用者の意図に関係なく電源スイッチが押されても、鏡胴の無理な繰り出しがなくなり、駆動モータの保護、電源電池の保護、レンズ進退機構の保護などを図ることができる。また、カメラの使用者以外の者が操作しようとしても、上記所定の傾き角度範囲内になければカメラを起動することができないから、カメラにプライベートな情報が記録されていたとしても、記録情報を簡単に見ることはできなくなる。
【実施例２】
【００２８】
図６は実施例２の動作を示している。操作キーユニットＳＷ１〜１５の電源スイッチが押されて（Ｓ２１）電源が供給されると、加速度センサ１１１から２軸Ｘ，Ｙ方向のデータを取得するとともに、適宜の温度センサから温度Ｔのデータを取得する（Ｓ２２）。これらのデータから、デジタルスチルカメラプロセッサ１０４でカメラの傾きを割り出す。この傾き値を、予め決められて記憶媒体１０７に記録されている傾き値と比較する（Ｓ２３、Ｓ２４）。比較した値が一致した場合、起動シーケンスに移行しカメラを起動する（Ｓ２５）。一致しない場合は、起動シーケンスに移行することなくカメラをロックし（Ｓ２６）、ロック解除をしない限りカメラを起動できないように設定し停止する。また、セキュリティを向上させるために、ロック＋ファイル削除などの機能をもたせる設定にすることもできる（Ｓ２６）。
【実施例３】
【００２９】
図７は実施例３の動作を示している。操作キーユニットＳＷ１〜１５の電源スイッチが押されて（Ｓ３１）電源が供給されると、加速度センサ１１１から２軸Ｘ，Ｙ方向のデータを取得するとともに、適宜の温度センサから温度Ｔのデータを取得する（Ｓ３２）。この取得したデータから、携帯機器の傾きをデジタルスチルカメラプロセッサ１０４で割り出す。記憶媒体１０７に記録されている傾き値のデータを読み出し（Ｓ３３）、上記割り出したデータと比べる（Ｓ３４）。そして、比べた値が一致した動作モードを割り出し、そのモードに従い起動シーケンスに移行しカメラを起動する（Ｓ３５）。
【００３０】
上記動作モードとしては、動画モード、静止画モード、再生モードなどがある。モードダイヤルでは、動画モードまたは静止画モードに設定されていて、この状態で使用者の意図に関係なく電源スイッチがオンしたとすると、実施例３の動作では、設定されているモードに関係なく、検出された傾き角度に応じて設定されている動作モードで起動する。
例えば、
・４０〜５０度＝動画モード
・３０〜４０度＝静止画モード
・０〜３０度＝再生モード
に設定されているとする。仮に動画モードに設定されているとしても、検出された傾き角度が、再生モードに設定されている傾き角度０〜３０度と一致したとすれば、モードダイヤルでの設定モードを無視して、再生モードで起動する。換言すれば、モードダイヤルで設定されているモードに関係なく、使用者は希望する動作モードがあれば、それに応じた傾斜角度にして電源スイッチを押せばよく、これによって所望のモードに設定されることになる。
【００３１】
モードの数や傾き角度の設定などは、上記の例に限定されない。図１１乃至図１３は、傾き角度とそれに対応した動作モードとの関係について各種の例を示している。図１１に示す例は、傾きゼロから順次傾きが大きくなる範囲を３段階に設定し、第１段階の傾き範囲を再生モード、第２段階の傾き範囲を静止画モード、第３段階を動画モードとしている。
図１２に示す例は、傾きゼロを中心として正方向の傾き（回転）と負方向の傾き（回転）につきそれぞれ２段階に分け、正負の第１段階をそれぞれ再生モード、正方向の第２段階を静止画モード、負方向の第２段階を動画モードとしている。
図１３に示す例は、図１２に示す例と同じ着想のもので、傾きゼロを中心とした正負の第１段階をそれぞれ再生モード、正方向の第２段階を静止画モード、負方向の第２段階を動画モードとしている。
【実施例４】
【００３２】
図８は実施例４の動作を示す。操作キーユニットＳＷ１〜１５の電源スイッチが押されて（Ｓ４１）電源が供給されると、加速度センサ１１１から２軸Ｘ，Ｙ方向のデータを取得するとともに、適宜の温度センサから温度Ｔのデータを取得する（Ｓ４２）。この取得したデータから、携帯機器の傾きをデジタルスチルカメラプロセッサ１０４で割り出す。次に、記憶媒体１０７に記録されている傾き値のデータを読み出す（Ｓ４３）。記憶媒体１０７には、一定の傾きデータとその傾きが維持されている時間データが記録されている。この時間データとは、操作開始からの経過時間である。時間データの計測手段は、カメラ内に組み込まれているＣＰＵなどがもともと備えている計時機能を利用する。そこで、上記割り出した傾きの値が、記憶媒体１０７に記録されている傾きに該当するかどうか、かつ、上記該当している傾きが、記憶媒体１０７に記録されている時間と一致するかどうかを判定する（Ｓ４４）。あらかじめ決められている傾き範囲内に一定時間入っていた場合は、起動シーケンスに移行しカメラを起動する（Ｓ４５）。一致しない場合は、起動シーケンスに移行することなくカメラを停止する（Ｓ４６）。
【００３３】
例えば、４０度〜５０度の傾き状態が５秒間以上維持されている場合に電源スイッチを押した時にのみカメラを起動するように設定することができる。こうすることによって、セキュリティを一層高めることができる。なお、起動する条件としての傾き角度や時間は、上記の例に限定されるものではない。
【実施例５】
【００３４】
図９は実施例５の動作を示す。この実施例は、記憶媒体１０７に記録されている傾き設定値を更新可能とした実施例で、図９は設定更新動作を示している。操作キーユニットＳＷ１〜１５の電源スイッチが押されて（Ｓ５１）電源が供給されるとカメラが起動される（Ｓ５２）。続いて、記憶媒体１０７に記録されている傾き設定値を変更するか否かをＬＣＤの設定画面に表示する（Ｓ５３）。ユーザーは更新、または非更新を選択する。非更新を選択するとステップＳ５２に戻る。更新を選択した場合、ユーザーは好みの値を入力し（Ｓ５４）入力された値は、記憶媒体１０７に記憶されてユーザーの好みが反映される（Ｓ５５）。
【００３５】
以上のようにして実施例５によればユーザーが任意に傾き値を設定し更新することができる。実施例５の構成および動作は実施例１〜４にも適用することができ、記憶媒体から呼び出す傾きデータを任意に更新することができる。
記憶媒体に予め記録するデータは、上記傾き値のみでなく、実施例４における時間も任意に設定し、更新できるようにすることができる。この場合、ＬＣＤに設定画面を表示し、この表示を参照しながらユーザーは好みの値を設定することができるようにするとよい。
【００３６】
図１０は、カメラの傾き方向について説明している。カメラの左右水平方向をＸ軸、カメラの上下方向すなわち重力方向をＹ方向、カメラの前後方向すなわちレンズ光軸方向をＺ方向とする。前記加速度センサ１１１はこれら３方向の傾きを検出することができる。これら互いに直交する３軸方向に対し、それぞれの方向を中心とした傾き値を設定することができる。
【００３７】
カメラ本体の外装部、図１０に示す例ではカメラの背面に、操作者が操作するときに視認可能な、傾き範囲の角度幅とこの角度幅毎に対応した起動モードを表示する表示手段１０が設けられている。この表示手段１０は、重力方向をＹ軸、前記撮像レンズの撮影光軸方向をＺ軸とし、携帯機器が傾きのない姿勢に保持されている状態で上記Ｙ軸およびＺ軸にともに直交する軸をＸ軸と定義したとき、Ｚ軸を中心とする回転によるＸ軸からの傾き角度により前記傾き範囲を定義し、正姿勢のときにＸ軸と平行な方向を基準にして傾き角度を表示している。
【００３８】
上記３軸のうち、Ｚ軸を中心とする回転によるＸ軸からの傾き角度を正方向と負方向の回転について定義し、これを記憶媒体１０７に記憶させてもよい。
重力方向を基準とした傾きを検出する検出手段を設け、操作者がカメラを休止状態から動作状態にする操作をしたときに、上記検出手段により検出される傾き角度が所定の範囲内にないときは、カメラの起動を許可しないようにするとよい。
また、重力方向を基準とした傾きを検出する検出手段を設け、操作者がカメラを休止状態から動作状態にする操作をしたときに、上記検出手段により検出される傾き角度が所定の範囲内にないときは、カメラの起動禁止状態に設定するようにしてもよい。
【００３９】
次に、音声録画機能を備えたカメラなどの携帯機器であって、携帯機器の傾きに応じて、音声入力レベル、サンプリング周波数、フィルタなどを自動的に変更することにより、常に良好な音質で記録することができるようにした実施例について説明する。
図１４は上記実施例にかかるカメラを示しており、カメラの前面に向かって右上部にマイクロホン１１３が組み込まれている。マイクロホン１１３が付加されている以外は、図１乃至図３に示すカメラの構成と同じであるから、その他の構成の説明は省略する。
【００４０】
図１５は、上記マイクロホン１１３を備えているカメラの制御系統を示す。図１５において、マイクロホン１１３で電気音響変換されて出力される音声信号は音声コーデック回路１１２に入力され、音声コーデック回路１１２の出力は、デジタルスチルカメラプロセッサ１０４が備える音声ブロック１０４−１２に入力されるように構成されている。上記音声コーデック回路１１２は、マイクロホン１１３から入力される音声信号のレベルを調整し、音声信号をサンプリングしてデジタルデータに変換する機能と、上記プロセッサ１０４に適合したデジタルフォーマットに変換する機能を備えている。上記音声ブロック１０４−１２は、音声コーデックの設定と、音声コーデック回路１１２から出力される音声データをカメラの音声フォーマットに変更し、また、カメラ音声フォーマットを音声コーデック入力データ用に変更する機能を備えている。マイクロホン１１３を通じて捉えられデジタル信号に変換される音声データと、撮像部で撮像されデジタルデータに変換される画像データは、メモリカードコントローラブロック１０４−１０で制御されるメモリカードに記録される。その他の構成は図４に示す制御系統の構成と同じであるから、説明を省略する。
以下、音声録画機能を備えた上記携帯機器の各種実施例について、図１６乃至図１９に示すフローチャートを参照しながら説明する。
【実施例６】
【００４１】
図１６は実施例６の動作を示す。ユーザーが音声録画モードを選択して動作をスタートさせると（Ｓ６１）、プロセッサ１０４が音声コーデック回路１１２の設定を行う。マイクロホン１１３から入力される音声信号は音声コーデック回路１１２を通り、プロセッサ１０４で音声ファイルに作成され、メモリに記録される。また、加速度センサ１１１から２軸Ｘ，Ｙ方向のデータを取得するとともに、適宜の温度センサから温度Ｔのデータを取得する（Ｓ６２）。この取得したデータから、携帯機器の傾きをデジタルスチルカメラプロセッサ１０４で割り出す（Ｓ６３）。この傾きの値を、内蔵メモリ１０７に予め登録されかつ決められている傾き値と比較し（Ｓ６４）、比較が一致した場合は、プロセッサ１０４から音声コーデック回路１１２の設定を変更し、マイクロホン１１３から入力される音声信号の入力ゲインを変更する（Ｓ６５）。上記の比較が一致しない場合は、入力ゲインの変更をすることなく（Ｓ６６）ステップＳ６１に戻る。
【００４２】
このように、実施例６は、重力方向を基準とした傾きを検出する傾き検出手段と、音声の記録手段と、音声入力レベル変更手段を有し、この音声入力レベル変更手段は、傾き検出手段によって検出される傾きに応じて音声入力レベルを変更することを特徴とするものである。音声コーデック回路１１２が上記音声入力レベル変更手段に該当する。
実施例６によれば、例えばカメラなどの携帯機器の傾きが２０度のとき、音声入力レベルを大きくする、というような設定にしておけば、携帯機器が傾いている場合でも、良好に音声を記録することができる。
【実施例７】
【００４３】
図１７は実施例７の動作を示す。ユーザーが音声録画モードを選択して動作をスタートさせると（Ｓ７１）、プロセッサ１０４が音声コーデック１１２の設定を行う。マイクロホン１１３から入力される音声信号は音声コーデック１１２を通り、プロセッサ１０４で音声ファイルに作成され、メモリに記録される。また、加速度センサ１１１から２軸Ｘ，Ｙ方向のデータを取得するとともに、適宜の温度センサから温度Ｔのデータを取得する（Ｓ７２）。この取得したデータから、携帯機器の傾きをデジタルスチルカメラプロセッサ１０４で割り出す（Ｓ７３）。この傾きの値を、内蔵メモリ１０７に予め登録されかつ決められている傾き値と比較し（Ｓ７４）、比較が一致した場合は、プロセッサ１０４から音声コーデック回路１１２の設定を変更し、マイクロホン１１３から入力される音声信号のサンプリング周波数を変更する（Ｓ７５）。上記の比較が一致しない場合は、入力ゲインの変更をすることなく（Ｓ７６）ステップＳ７１に戻る。
【００４４】
このように、実施例７は、重力方向を基準とした傾きを検出する傾き検出手段と、音声の記録手段と、音声記録時のサンプリング周波数変更手段を有し、このサンプリング周波数変更手段は、傾き検出手段によって検出される傾きに応じて音声記録時のサンプリング周波数を変更することを特徴とするものである。音声コーデック回路１１２が上記サンプリング周波数変更手段に該当する。
実施例７によれば、例えばカメラなどの携帯機器の傾きが２０度のとき、音声入力のサンプリング周波数を大きくする、というような設定にしておけば、携帯機器が傾いている場合でも、高い音質で音声を記録することができる。
【実施例８】
【００４５】
図１８は実施例８の動作を示す。ユーザーが音声録画モードを選択して動作をスタートさせると（Ｓ８１）、プロセッサ１０４が音声コーデック１１２の設定を行う。マイクロホン１１３から入力される音声信号は音声コーデック１１２を通り、プロセッサ１０４で音声ファイルに作成され、メモリに記録される。また、加速度センサ１１１から２軸Ｘ，Ｙ方向のデータを取得するとともに、適宜の温度センサから温度Ｔのデータを取得する（Ｓ８２）。この取得したデータから、携帯機器の傾きをデジタルスチルカメラプロセッサ１０４で割り出す（Ｓ８３）。この傾きの値を、内蔵メモリ１０７に予め登録されかつ決められている傾き値と比較し（Ｓ８４）、比較が一致した場合は、プロセッサ１０４から音声コーデック回路１１２の設定を変更し、マイクロホン１１３から入力される音声信号をデジタル信号に変換するときのフィルタを切り換える（Ｓ８５）。上記の比較が一致しない場合は、入力ゲインの変更をすることなく（Ｓ８６）ステップＳ８１に戻る。
【００４６】
このように、実施例８は、重力方向を基準とした傾きを検出する傾き検出手段と、音声の記録手段と、音声入力にフィルタをかけるフィルタリング手段を有し、このフィルタリング手段は、傾き検出手段によって検出される傾きに応じてフィルタを変更することを特徴とするものである。音声コーデック回路１１２が上記フィルタリング手段に該当する。
実施例８によれば、例えばカメラなどの携帯機器の傾きが２０度のとき、高音部の帯域をカットする、というような設定にしておけば、携帯機器が傾いていて、例えば高音の帯域に存在するノイズを拾うおそれがあるような条件下において、ノイズのレベルを低くすることができ、高い音質で音声を記録することができる。
【実施例９】
【００４７】
図１９は実施例９の動作を示す。ユーザーが音声録画モードを選択して動作をスタートさせると（Ｓ９１）、プロセッサ１０４が音声コーデック回路１１２の設定を行う。マイクロホン１１３から入力される音声信号は音声コーデック回路１１２を通り、プロセッサ１０４で音声ファイルに作成され、メモリに記録される。また、加速度センサ１１１から２軸Ｘ，Ｙ方向のデータを取得するとともに、適宜の温度センサから温度Ｔのデータを取得する（Ｓ９２）。この取得したデータから、携帯機器の傾きをデジタルスチルカメラプロセッサ１０４で割り出すとともに、音声コーデック回路１１２から入力される音声データを分析する（Ｓ９３）。この音声データの分析は、例えば、周波数帯域ごとの音声レベルの分析、波形の連続性、波形の周期性の分析などである。音声データの分析結果を、そのとき音声コーデック回路１１２で設定されている各種の値、すなわち、音声入力レベル、サンプリング周波数、フィルタの値が最適値になっているかどうかを判定する（Ｓ９４）。最適値になっていない場合は、プロセッサ１０４から音声コーデック回路１１２の設定を変更し、マイクロホン１１３から入力される音声信号をデジタル信号に変換するときの音声入力レベル、サンプリング周波数またはフィルタの少なくとも一つを切り換える（Ｓ９５）。上記の比較が一致しない場合は、入力ゲインの変更をすることなく（Ｓ９６）ステップＳ９１に戻る。
【００４８】
このように、実施例９は、重力方向を基準とした傾きを検出する傾き検出手段と、音声の記録手段と、音声入力レベル変更手段と、音声入力にフィルタをかけるフィルタリング手段と、音声記録時のサンプリング周波数変更手段と、記録されている音声データの音声帯域分析手段を有し、この音声入力レベル変更手段、フィルタリング手段、サンプリング周波数変更手段は、傾き検出手段によって検出される傾きと前記音声帯域分析手段による分析結果に応じて、それぞれ音声入力レベル、フィルタ、サンプリング周波数を変更することを特徴とする。音声コーデック回路１１２が、音声入力レベル変更手段、フィルタリング手段、サンプリング周波数変更手段に該当する。
【００４９】
例えば、会議場などにおいて、携帯機器が、これに装着されているマイクロホンが上向きになるような姿勢にある場合、空調機器の騒音が記録される可能性があるので、空調機器の騒音がマイクロホンで捕らえられたとしても、騒音の記録レベルが低くなるように、例えば騒音が存在する周波数帯域をカットするフィルタを設定する。あるいは、音声入力信号を分析した結果、単純な波形であることが判明した場合は、サンプリング周波数を低くして、信号処理量を軽減することもできる。
【産業上の利用可能性】
【００５０】
本発明は、カメラなどの撮像装置あるいは撮像装置を内蔵した携帯電話などの携帯機器に適用することもできるし、特許請求の範囲に記載した個々の請求項で特定されている発明によっては、撮像装置を備えていない携帯機器にも適用可能である。
【図面の簡単な説明】
【００５１】
【図１】本発明に係る携帯機器としてのカメラの例を示す外観正面図である。
【図２】上記カメラの背面図である。
【図３】上記カメラの平面図である。
【図４】上記カメラに適用可能な制御系統の構成例を示すブロック図である。
【図５】本発明に係る携帯機器の第１実施例を示すフローチャートである。
【図６】本発明に係る携帯機器の第２実施例を示すフローチャートである。
【図７】本発明に係る携帯機器の第３実施例を示すフローチャートである。
【図８】本発明に係る携帯機器の第４実施例を示すフローチャートである。
【図９】本発明に係る携帯機器の第５実施例を示すフローチャートである。
【図１０】本発明における傾き方向をカメラの例で定義するための斜視図である。
【図１１】本発明において設定可能な傾き角度と動作モードとの関係の一例を示す線図である。
【図１２】本発明において設定可能な傾き角度と動作モードとの関係の他の例を示す線図である。
【図１３】本発明において設定可能な傾き角度と動作モードとの関係のさらに他の例を示す線図である。
【図１４】本発明に係る携帯機器としてのカメラの別の例を示す外観正面図である。
【図１５】上記カメラに適用可能な制御系統の構成例を示すブロック図である。
【図１６】本発明に係る携帯機器の第６実施例を示すフローチャートである。
【図１７】本発明に係る携帯機器の第７実施例を示すフローチャートである。
【図１８】本発明に係る携帯機器の第８実施例を示すフローチャートである。
【図１９】本発明に係る携帯機器の第９実施例を示すフローチャートである。
【符号の説明】
【００５２】
１    ストロボ発光部
２    測距ユニット
３    光学ファインダ
４    銅鏡
５    ＬＣＤモニタ
１０    表示手段
１０１    ＣＣＤ
１０２    Ｆ／Ｅ−ＩＣ
１０３    ＳＤＲＡＭ
１０４    デジタルスチルカメラプロセッサ
１０６    ストロボ回路
１０７    内蔵メモリ
１０８    ＬＣＤドライバ
１１２    音声コーデック回路
１１３    マイクロホン
ＳＷ１    レリーズスイッチ
ＳＷ２    モードダイヤル
ＳＷ１４    ＭＥＮＵ  ＳＷ
ＳＷ１５    電源ＳＷ
【図１】
2009260896.tif 000003
【図２】
2009260896.tif 000004
【図３】
2009260896.tif 000005
【図４】
2009260896.tif 000006
【図５】
2009260896.tif 000007
【図６】
2009260896.tif 000008
【図７】
2009260896.tif 000009
【図８】
2009260896.tif 000010
【図９】
2009260896.tif 000011
【図１０】
2009260896.tif 000012
【図１１】
2009260896.tif 000013
【図１２】
2009260896.tif 000014
【図１３】
2009260896.tif 000015
【図１４】
2009260896.tif 000016
【図１５】
2009260896.tif 000017
【図１６】
2009260896.tif 000018
【図１７】
2009260896.tif 000019
【図１８】
2009260896.tif 000020
【図１９】
2009260896.tif 000021